(57)【要約】【課題】搬送中及び設置後の破損の発生を抑えることができる軒先スタータ及びそれを用いた屋根構造を提供する。【解決手段】本発明による軒先スタータは、屋根の軒先に設置される軒先スタータ１であって、金属板を素材とし下部開口１０３を有する断面箱形に形成された表基材１０と、下部開口１０３を塞ぐように表基材１０の裏側に配置された裏基材１１と、表基材１０と裏基材１１との間に充填された芯材１２とを備える。【選択図】図２
2019065619.tif 000002
【特許請求の範囲】
【請求項１】
屋根の軒先に設置される軒先スタータであって、
金属板を素材とし下部開口を有する断面箱形に形成された表基材と、
前記下部開口を塞ぐように前記表基材の裏側に配置された裏基材と、
前記表基材と前記裏基材との間に充填された芯材と
を備えている、軒先スタータ。
【請求項２】
前記表基材の幅方向が屋根の軒方向と平行とされる軒先スタータあり、
前記表基材の天板部には、前記幅方向の全体に延在する凹部又は凸部からなる幅方向延在リブが形成されている、
請求項１記載の軒先スタータ。
【請求項３】
前記表基材の奥行方向が屋根の軒棟方向と平行とされる軒先スタータあり、
前記幅方向延在リブは、前記奥行方向に関する前記天板部の端部に配置されている、
請求項２記載の軒先スタータ。
【請求項４】
屋根の軒先に設置された軒先スタータと、
軒先スタータの上に重ねられた平板状屋根材と
を備え、
前記軒先スタータは、金属板を素材とし下部開口を有する箱形に形成された表基材と、前記下部開口を塞ぐように前記表基材の裏側に配置された裏基材と、前記表基材と前記裏基材との間に充填された芯材とを備えている、
屋根構造。
【請求項５】
前記軒先スタータは、前記表基材の幅方向が屋根の軒方向と平行とされており、
前記表基材の天板部には、前記幅方向の全体に延在する凹部又は凸部からなる幅方向延在リブが形成されている、
請求項４記載の屋根構造。
【請求項６】
前記軒先スタータは、前記表基材の奥行方向が屋根の軒棟方向と平行とされており、
前記幅方向延在リブは、前記奥行方向に関する前記天板部の端部に配置されており、
前記軒先スタータは、前記幅方向延在リブの位置が屋根の軒先端の位置に合うように前記軒先に設置されている、
請求項５記載の軒先スタータ。
【発明の詳細な説明】
【技術分野】
【０００１】
本発明は、屋根の軒先に設置される軒先スタータ及びそれを用いた屋根構造に関する。
【背景技術】
【０００２】
従来用いられていたこの種の軒先スタータとしては、例えば下記の特許文献１等に示されている構成を挙げることができる。すなわち、従来の軒先スタータとしては、セメント等により構成された窯業系建築板が用いられている。
【先行技術文献】
【特許文献】
【０００３】
【特許文献１】特開２００３−０２７６６４号公報
【発明の概要】
【発明が解決しようとする課題】
【０００４】
窯業系建築板は、その表面に力が加わると割れやすいという特徴を有している。このため、従来の軒先スタータは軒先に設置するまでの搬送中に割れてしまうということが生じやすい。また、軒先スタータは軒先スタータの軒側端を屋根の軒先端から少し突出させた状態で軒先に設置されることが多い。このような設置状態において、作業者が軒先スタータに足を乗せると、屋根の軒先端の角を起点として軒先スタータに割れが生じることがある。
【０００５】
本発明は、上記のような課題を解決するためになされたものであり、その目的は、搬送中及び設置後の破損の発生を抑えることができる軒先スタータ及びそれを用いた屋根構造を提供することである。
【課題を解決するための手段】
【０００６】
本発明に係る軒先スタータは、屋根の軒先に設置される軒先スタータであって、金属板を素材とし下部開口を有する断面箱形に形成された表基材と、下部開口を塞ぐように表基材の裏側に配置された裏基材と、表基材と裏基材との間に充填された芯材とを備える。
【０００７】
また、本発明に係る屋根構造は、屋根の軒先に設置された軒先スタータと、軒先スタータの上に重ねられた平板状屋根材とを備え、軒先スタータは、金属板を素材とし下部開口を有する箱形に形成された表基材と、下部開口を塞ぐように表基材の裏側に配置された裏基材と、表基材と裏基材との間に充填された芯材とを備える。
【発明の効果】
【０００８】
本発明の軒先スタータ及びそれを用いた屋根構造によれば、軒先スタータが、金属板を素材とし下部開口を有する断面箱形に形成された表基材と、下部開口を塞ぐように表基材の裏側に配置された裏基材と、表基材と裏基材との間に充填された芯材とを備えるので、表面に力が加えられても全体が割れることは起きにくい。このため、搬送中及び設置後の破損の発生を抑えることができる。
【図面の簡単な説明】
【０００９】
【図１】本発明の実施の形態１による軒先スタータを示す平面図である。
【図２】図１の線Ａ−Ａに沿う断面図である。
【図３】図１の軒先スタータの変形例を示す平面図である。
【図４】図１の軒先スタータを用いた屋根構造を示す側面図である。
【図５】図４の軒先スタータとその軒先スタータに重ねられた平板状屋根材とを示す平面図である。
【発明を実施するための形態】
【００１０】
以下、本発明を実施するための形態について、図面を参照して説明する。
実施の形態１．
図１は本発明の実施の形態１による軒先スタータ１を示す平面図であり、図２は図１の線Ａ−Ａに沿う断面図であり、図３は図１の軒先スタータ１の変形例を示す平面図である。図１〜図３に示す軒先スタータ１は、家屋等の建物の屋根における軒先（軒先端部）に設置される部材である（後述の図４参照）。
【００１１】
図１に特に表れているように、軒先スタータ１は、長辺と短辺とを有する平面視矩形の外観を有している。本実施の形態の軒先スタータ１は、長辺が屋根の軒方向２ａ（図４参照）と平行となるとともに、短辺が屋根の軒棟方向２ｂ（図４参照）と平行となるように軒先に設置されるよう適合されている。以下、長辺が延在する方向を軒先スタータ１の幅方向１ａと呼び、短辺が延在する方向を軒先スタータ１の奥行方向１ｂと呼ぶ。
【００１２】
図２に特に表れているように、軒先スタータ１は、表基材１０、裏基材１１及び芯材１２を有している。
【００１３】
表基材１０は、金属板を素材とするものであり、軒先スタータ１が軒先に設置された際に空側（反屋根下地側）に向けられる部材である。表基材１０の素材である金属板としては、溶融Ｚｎ系めっき鋼板、溶融Ａｌめっき鋼板、溶融Ｚｎ系めっきステンレス鋼板、溶融Ａｌめっきステンレス鋼板、ステンレス鋼板、Ａｌ板、Ｔｉ板、塗装溶融Ｚｎ系めっき鋼板、塗装溶融Ａｌめっき鋼板、塗装溶融Ｚｎ系めっきステンレス鋼板、塗装溶融Ａｌめっきステンレス鋼板、塗装ステンレス鋼板、塗装Ａｌ板又は塗装Ｔｉ板を用いることができる。
【００１４】
表基材１０は、天板部１００、周壁部１０１、底板部１０２及び下部開口１０３を有する断面箱形に形成されている。天板部１００は、軒先スタータ１が軒先に設置された際に空側に向けられる平面視矩形の板部である。周壁部１０１は、天板部１００から軒先スタータ１の板厚方向１ｃに延出された壁部であり、幅方向１ａに延在する軒先スタータ１の軒側端面及び棟側端面を構成している。軒先スタータ１の側端１ｄにも壁部が設けられていてもよいが、例えば、複数の軒先スタータ１が幅方向１ａに連続された軒先スタータ素体を製造し、その軒先スタータ素体を所定長さに切断して軒先スタータ１を得る場合等には、軒先スタータ１の側端１ｄにおいて表基材１０の内部が開放されていてもよい。底板部１０２は、軒側及び棟側の周壁部１０１の先端から奥行方向１ｂに延出された板部である。下部開口１０３は、軒側及び棟側の底板部１０２の先端間に形成された開口である。
【００１５】
裏基材１１は、表基材１０の下部開口１０３を塞ぐように表基材１０の裏側に配置された部材である。裏基材１１としては、アルミ箔、アルミ蒸着紙、水酸化アルミ紙、炭酸カルシウム紙、樹脂フィルム又はガラス繊維紙等の軽量な素材を用いることができる。これらの軽量な素材を裏基材１１に用いることで、軒先スタータ１の重量を軽くすることができる。
【００１６】
芯材１２は、例えば発泡樹脂等により構成されるものであり、表基材１０と裏基材１１との間に充填されている。芯材１２の素材としては、ウレタン、フェノール、ヌレート樹脂等を用いることができる。ただし、屋根材においては不燃認定材料を使用することが必須となる。不燃材料認定試験は、ＩＳＯ５６６０−１コーンカロリーメーター試験法に準拠した発熱性試験が実施される。芯材１２となる発泡樹脂が発熱量の多いウレタンなどの場合は、周壁部１０１の高さを低くしたり、発泡樹脂に無機発泡粒子を含有させたりすることができる。
【００１７】
図１に戻り、表基材１０の天板部１００には、幅方向延在リブ１１０、中央位置表示部１１１及び打込位置表示部１１２が設けられている。
【００１８】
本実施の形態の幅方向延在リブ１１０は、幅方向１ａの全体に延在する凹部によって構成されている。しかしながら、幅方向延在リブ１１０は凸部によって構成されていてもよい。幅方向延在リブ１１０が幅方向１ａの全体に延在するとは、幅方向１ａに関する天板部１００の両側の側部及び中央部に幅方向１ａに延在するリブ（凹部又は凸部）が設けられていることを意味する。幅方向延在リブ１１０が幅方向１ａに連続的に設けられていなくてもよく、例えば図３に示すように、幅方向１ａに互いに離間して配置された複数の部分リブ１１０ａによって幅方向延在リブ１１０が構成されていてもよい。天板部１００に幅方向延在リブ１１０が設けられていることで、軒先スタータ１の両側部を互いに近づけるような折れに対する天板部１００及び軒先スタータ１の強度が向上されている。
【００１９】
奥行方向１ｂに関する幅方向延在リブ１１０の位置は任意であるが、奥行方向１ｂに関する天板部１００の端部に幅方向延在リブ１１０が配置されていることが好ましい。このような位置に幅方向延在リブ１１０を配置することで、後述のように、幅方向延在リブ１１０の位置を屋根の軒先端２０ａ（図４及び図５）の位置に合わせるように軒先スタータ１を軒先に設置することができる。換言すると、幅方向延在リブ１１０の位置を目安に軒先端２０ａからの軒先スタータ１の突出量を決定できる。特に、幅方向延在リブ１１０が幅方向１ａの全体に延在されていることで、幅が狭い軒先スタータを得るために軒先スタータ１を切断した後も幅方向延在リブ１１０が目安となる機能を維持できる。幅方向延在リブ１１０を目安として用いる場合、図１に示すように幅方向１ａに関する天板部１００の端に幅方向延在リブ１１０が設けられていることが好ましい。しかしながら、図３に示すように幅方向１ａに関する天板部１００の端から離れた位置から幅方向延在リブ１１０が形成されていてもよい。
【００２０】
中央位置表示部１１１は、幅方向１ａに関する軒先スタータ１の中央位置を表すための構成である。本実施の形態の中央位置表示部１１１は、奥行方向１ｂに長く延在する長方形の印（印刷物）により構成されており、奥行方向１ｂに関する天板部１００の端部に配置されている。しかしながら、中央位置表示部１１１は、例えば凸部、凹部、開口又は刻設された記号等、軒先スタータ１の中央位置を作業者が視覚的又は触覚的に認識できる他の態様を採ることもできる。また、図３に示すように、中央位置表示部１１１を奥行方向１ｂの全体に延在させることもできる。中央位置表示部１１１は、後述のように屋根の軒方向２ａに関して平板状屋根材３を軒先スタータ１に対してずらして配置する際に目安として利用できる。また、幅方向１ａの中央位置で軒先スタータ１を切断する際にも中央位置表示部１１１を目安として利用できる。
【００２１】
打込位置表示部１１２は、例えば釘やビス等の緊結部材４（図４参照）を軒先スタータ１に打ち込む位置を表すための構成である。本実施の形態の打込位置表示部１１２は、幅方向１ａに互いに離間して配置された複数の十字の印（印刷物）によって構成されている。しかしながら、打込位置表示部１１２は、例えば凸部、凹部、開口又は刻設された記号等、緊結部材４の打ち込み位置を作業者が視覚的又は触覚的に認識できる他の態様を採ることもできる。また、図３に示すように、幅方向１ａに互いに離間して配置された複数の数ｍｍ程度の開口により打込位置表示部１１２を構成することもできる。打込位置表示部１１２を開口によって構成することで、緊結部材４を軒先スタータ１に打ち込む際の作業性をより良好にすることができる。
【００２２】
次に、図４は図１の軒先スタータ１を用いた屋根構造を示す側面図であり、図５は図４の軒先スタータ１とその軒先スタータ１に重ねられた平板状屋根材３とを示す平面図である。図４及び図５に示すように、本実施の形態の屋根構造２は、軒先スタータ１と平板状屋根材３とを有している。これら軒先スタータ１及び平板状屋根材３は、例えば釘やビス等の緊結部材４の打込みによって屋根下地５に緊結されている。
【００２３】
図４及び図５に示すように、軒先スタータ１は、軒先スタータ１の幅方向１ａが屋根の軒方向２ａと平行となり、軒先スタータ１の奥行方向１ｂが屋根の軒棟方向２ｂと平行となるように屋根の軒先２０に設置されている。なお、本願発明で言う平行には、厳密な平行のみならず、目視でおおよそ平行であると認識できる程度の配置も含まれる。
【００２４】
屋根の軒方向２ａに関して、複数の軒先スタータ１が互いの側端１ｄを突き合わせながら配置されている（図５参照）。また、屋根の軒棟方向２ｂに関して、軒先スタータ１は、軒先スタータ１の軒側端１ｅが軒先２０の軒先端２０ａから突出するように配置されている。図５に示すように、軒先端２０ａの位置は幅方向延在リブ１１０の位置に合わされている。本願発明で言う位置が合うということには、厳密に位置が合致することのみならず、目視でおおよそ位置が合致していると認識できる程度の配置も含まれる。
【００２５】
平板状屋根材３は、軒先スタータ１の上に重ねられた平板状の部材である。平板状屋根材３としては、コロニアル等と呼ばれる窯業系部材を用いてもよいが、軒先スタータ１と同様の構成を有する金属屋根材、すなわち金属板を素材とし下部開口を有する表基材と、下部開口を塞ぐように表基材の裏側に配置された裏基材と、表基材と裏基材との間に充填された芯材とを有する金属屋根材を用いることもできる。屋根の軒方向２ａに関して、複数の平板状屋根材３が互いの側端を突き合わせながら配置されている。また、平板状屋根材３の上には、別の平板状屋根材３が屋根の軒棟方向２ｂに関してずらして重ねられている。
【００２６】
軒先スタータ１の幅１ｗ（図５参照）は、平板状屋根材３の幅３ｗ（図５参照）と等しい。平板状屋根材３は、これら軒先スタータ１及び平板状屋根材３の幅１ｗ，３ｗの半分だけ軒先スタータ１に対して軒方向２ａにずらして軒先スタータ１の上に重ねられている。平板状屋根材３の側端の位置は、軒先スタータ１の中央位置表示部１１１（図１参照）の位置に合わされている。
【００２７】
このような軒先スタータ１及びそれを用いた屋根構造２では、軒先スタータ１が、金属板を素材とし下部開口１０３を有する断面箱形に形成された表基材１０と、下部開口１０３を塞ぐように表基材１０の裏側に配置された裏基材１１と、表基材１０と裏基材１１との間に充填された芯材１２とを備えるので、表面に力が加えられても全体が割れることは起きにくい。このため、搬送中及び設置後の破損の発生を抑えることができる。
【００２８】
また、表基材１０の天板部１００には、幅方向１ａの全体に延在する凹部又は凸部からなる幅方向延在リブ１１０が形成されているので、軒先スタータ１の両側部を互いに近づけるような折れに対する天板部１００及び軒先スタータ１の強度を向上でき、搬送中及び設置後の破損の発生をより確実に抑えることができる。
【００２９】
さらに、幅方向延在リブ１１０が奥行方向１ｂに関する天板部１００の端部に配置されているので、幅方向延在リブ１１０の位置を目安に軒先端２０ａからの軒先スタータ１の突出量を決定できる。特に、幅方向延在リブ１１０が幅方向１ａの全体に延在されていることで、幅が狭い軒先スタータを得るために軒先スタータ１を切断した後も幅方向延在リブ１１０の目安となる機能を維持できる。
【符号の説明】
【００３０】
１        軒先スタータ
１０      表基材
１１      裏基材
１２      芯材
１００    天板部
１０３    下部開口
１１０    幅方向延在リブ
１１０ａ  部分リブ
２        屋根構造
２０      軒先
２０ａ    軒先端
３        平板状屋根材
【図１】
2019065619.tif 000003
【図２】
2019065619.tif 000004
【図３】
2019065619.tif 000005
【図４】
2019065619.tif 000006
【図５】
2019065619.tif 000007
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
屋根の軒先に設置される軒先スタータであって、
金属板を素材とし下部開口を有する断面箱形に形成された表基材と、
前記下部開口を塞ぐように前記表基材の裏側に配置された裏基材と、
前記表基材と前記裏基材との間に充填された芯材と
を備えている、軒先スタータ。
【請求項２】
前記表基材の幅方向が屋根の軒方向と平行とされる軒先スタータであり、
前記表基材の天板部には、前記幅方向の全体に延在する凹部又は凸部からなる幅方向延在リブが形成されている、
請求項１記載の軒先スタータ。
【請求項３】
前記表基材の奥行方向が屋根の軒棟方向と平行とされる軒先スタータであり、
前記幅方向延在リブは、前記奥行方向に関する前記天板部の端部に配置されている、
請求項２記載の軒先スタータ。
【請求項４】
屋根の軒先に設置された軒先スタータと、
軒先スタータの上に重ねられた平板状屋根材と
を備え、
前記軒先スタータは、金属板を素材とし下部開口を有する箱形に形成された表基材と、前記下部開口を塞ぐように前記表基材の裏側に配置された裏基材と、前記表基材と前記裏基材との間に充填された芯材とを備えている、
屋根構造。
【請求項５】
前記軒先スタータは、前記表基材の幅方向が屋根の軒方向と平行とされており、
前記表基材の天板部には、前記幅方向の全体に延在する凹部又は凸部からなる幅方向延在リブが形成されている、
請求項４記載の屋根構造。
【請求項６】
前記軒先スタータは、前記表基材の奥行方向が屋根の軒棟方向と平行とされており、
前記幅方向延在リブは、前記奥行方向に関する前記天板部の端部に配置されており、
前記軒先スタータは、前記幅方向延在リブの位置が屋根の軒先端の位置に合うように前記軒先に設置されている、
請求項５記載の屋根構造。